(57)【特許請求の範囲】
【請求項１】
ハウジング（１３）内の複数の場所に於いて複数の電気的リ−ド線（３０、３２）の間で選択的に電気的接続を成すためのシステムであって、
前記ハウジング（１３）は第一のハウジング部（１０）と第二のハウジング部（１１）とを含み、前記第一のハウジング部（１０）及び前記第二のハウジング部（１１）は前記ハウジング（１３）の組み立て中に所定方向で係合するように形成されており、
前記第一のハウジング部（１０）および前記第二のハウジング部（１１）の一方のハウジング部に置かれたブリッジ部材（２８）を備え、そのブリッジ部材（２８）は複数のバイアスユニット（４０、４２）を有し、それぞれのバイアスユニット（４０、４２）は前記複数の場所に於いて実質的に位置付けられており、また
前記第一のハウジング部（１０）および前記第二のハウジング部（１１）の他方のハウジング部内に置かれた複数の押し付けユニット（３４）を含み、
その複数の押し付けユニット（３４）の各々は、前記第一のハウジング部（１０）と前記第二のハウジング部（１１）が係合するように前記所定の方向に向いているとき前記複数の場所に於いて位置付けされた前記複数のバイアスユニット（４０，４２）の各々と実質的に整列し、前記所定方向で係合するとき前記複数のバイアスユニット（４０、４２）の各々と協働して前記複数のバイアスユニット（４０、４２）の各々を前記複数の電気的リ−ド線（３０、３２）の各々と物理的な接触をするように押し出し、前記電気的リ−ド線（３０、３２）の各々を前記複数のバイアスユニット（４０，４２）の各々と電気的に選択的に接続する、システム。
【請求項２】
更に前記複数の押し付けユニット（３４）と前記他方のハウジング部とが電気的な絶縁材料で一体的に作られており、前記ブリッジ部材（２８）がベ−ス部材（３８）を含み、前記バイアスユニット（４０、４２）とベ−ス部材（３８）とがブランクの導電金属部品で一体的に作られている、請求項１記載のシステム。
【請求項３】
更に各それぞれのバイアスユニット（４０、４２）がそれぞれの電気的リ−ド線（３０、３２）から離れる方向に偏らされたそれぞれのバネ鋼フィンガ部材（４０、４２）を備え、各それぞれの押し付けユニット（３４）が組み立て中に前記それぞれの電気的リ−ド線（３０、３２）と実質的に並行に進行し、組み立て中に複数のフィンガ部材（４０、４２）の各々を前記それぞれの電気的リ−ド線（３０、３２）に物理的に押し出すピン部材（３４）を備え、各ピン部材（３４）は弾力特性を有しており、組み立て中に前記ピン部材（３４）が前記それぞれのフィンガ部材（４０、４２）から遠ざかる方向に撓むようにする、請求項２記載のシステム。
【発明の詳細な説明】
【０００１】
【産業上の利用分野】
本発明は、ハウジング内の複数の場所に於ける複数の電気配線間の電気的接続を選択的に成すための改良されたシステムに関する。
【０００２】
【従来の技術及び発明が解決しようとする課題】
ある装置を収容しているハウジング内のいろいろな場所に於いて、電気配線間に電気的接続をする必要がしばしば生じる。それらのリ−ド配線はハウジング内で部品要素から四方に広がっているか、或いはハウジング内の部品要素と接続するために、ハウジング外にある装置からハウジングの中に導かれている。ハウジング内のリ−ド線間に鑞付け接続を行うことは厄介で、時間がかかりまた労働集約的な仕事である。更には、そのような鑞付け接続は作業をやり直さなければならない場合があり（冷鑞付け継手（ｃｏｌｄ  ｓｏｌｄｅｒ  ｊｏｉｎｔ）の場合には）、或いは振動、熱、不純物のような要素のために低水準の電気的接続を提供することになる。
【０００３】
ハウジングを組み立てながらハウジング内の複数の場所に於いて複数のリ−ド線間に電気的接続をすることができるような構造を提供できれば便利である。選択された電気的リ−ド線間にブリッジ構造を機械的に適用することによって、組み立て中にそのような電気的接続を成すための構造が得られる。
【０００４】
一緒に用いられる装置次第であるが、異なった場所に於いて異なった電気的接続を成すために、選択的に用いることのできる構造を有するということも便利である。
【０００５】
【課題を解決するための手段】
ハウジング内の複数の場所に於ける複数の電気的リ−ド線間に電気的接続を選択的に成すための改良されたシステム。ハウジングは、ハウジングの組み立て中に所定の方向（ｏｒｉｅｎｔａｔｉｏｎ）で係合するように形成された第一のハウジング部と第二のハウジング部とを含む。システムは、第一のハウジング部と第二のハウジング部のうち一方のハウジング部に置かれた電気的ブリッジ部材を備える。そのブリッジ部材は、複数のバイアスユニットを有し、その各々は複数の場所のうちそれぞれ一ヶ所に実質的に位置決めされている。更にそのシステムは、他方のハウジング部内にあり複数の押し付けユニットを含むベアリング部材を備えている。第一のハウジング部と第二のハウジング部とが所定の方向にあるとき、各それぞれの場所と実質的に整列した（ｉｎ  ｒｅｇｉｓｔｅｒ  ｗｉｔｈ）それぞれの押し付けユニットがある。組み立て中に、その複数の押し付けユニットは複数のバイアスユニットと協働して、各それぞれの場所に於いて各それぞれのバイアスユニットを複数の電気リ−ド線のうちそれぞれの電気リ−ド線と係合させ、そのそれぞれの電気リ−ド線を選択的に電気的に接続する。
【０００６】
そのような構造により、まっすぐな直線上の押し付け動作によって電気的接続を成しまたハウジング組み立てを行うための部品の方向付けが容易になる。そのような単純な動作は特に自動的な作業を行うのに有用である。
【０００７】
それ故本発明の目的は、自動的に行うことのできる、ハウジング内の複数の場所に於いて選択的に電気的接続を成すための改良されたシステムを提供することである。
【０００８】
本発明の別の目的は、単一構造をもって複数の種々の応用を選択的に行うことができるように形成された、ハウジング内の複数の場所に於いて選択的に電気的接続を成すための改良されたシステムを提供することである。
【０００９】
本発明の別の目的及び特徴は、本発明の好ましい実施例を図解する添付図と共に考慮すれば、特許請求の範囲及び以下の詳細な説明から明らかであろう。
【００１０】
【発明の実施の形態】
図１は、本発明を用いるために適切に形成された一方のハウジング部の平面図である。図１に於いて、ハウジング部１０はベ−ス部１２、周辺スカ−ト１４、タブ受容掛金機構１６、複数の突出部１８及び複数の開口２０を含む。突出部１８と開口２０とは、その代表的なものを図１に示してある。ハウジング部１０は型成型されたプラスチック材料で製造するのが好ましい。種々の突出部１８及び開口２０のサイズ、形状及び位置は、大いに多様性を有していてもよく、型成型プラスチック材料の技術分野に於ける当業者が思いつくような、スイッチハウジングやモ−タハウジングのような、ハウジング部１０のための種々の特定の用途を可能にする。タブ受容機構１６は、ハウジング部１０のような、二つのハウジング部のうち組み立てられるハウジングを提供するように、実質的に組み合わさる他のハウジング部（図１には図示せず）からタブを受容するのに適した形状及び位置に形成されている。そのような組み立てられるハウジングは、ハウジングを作り上げる二つのハウジング部の間に設けられた空洞内の機構即ち装置を含んで形成することができる。
【００１１】
電気的接続システム２２が、ハウジング部１０内の種々の突出部１８及び開口２０の間に含まれている。電気的接続システム２２は、突き出た突出部２４、２６を含んでおり、それらの突出部は一般に電気的接続リ−ド線３０、３２と隣接したブリッジ接触部材２８を支えている。
【００１２】
本発明を理解し易くするために、種々の図に於いて同様な要素には同様な参照番号を付ける。
【００１３】
図２は、図１に示したハウジング部を線２−２に沿って切断して見た部分断面側面図であり、一つのハウジング組立体を形成するために別のハウジング部と係合した状態を示す。図２に於いては、ハウジング部１０はハウジング部１１と係合している。ハウジング部１１は、ハウジング部１０のベ−ス部１２の上方周辺スカ−ト１４の実質的に頂上部に於いてハウジング部１０と係合している。電気的接続システム２２は、図２にその側面を示されており、実質的に台形のプロフィルを有する突出部２６を現わしている。ブリッジ接触部材２８は、所定の面積で湾曲したバイアスのかかったプロフィルを有し（図３の接触部材４０、４２を参照）、適切に曲げられたときバネバイアス特性を有する金属で製造するのが好ましい。ブリッジ接触部材２８は、図２に示された組み立てられたハウジング組立体１３に於いては、ピン部材３４によって電気的リ−ド線３２に押し付けられている。ピン部材３４は、ハウジング部１１と一体的に形成するのが好ましい。ハウジング部１１はベ−ス部１５を有しており、複数の突出部１７及び開口１９がそのベ−ス部と結合している。ピン部材３４はハウジング部１１のベ−ス部１５から伸延しており、一体の突出構造３６を有している。突出構造３６は、ハウジング組立体１３を組み立てている間、ハウジング部１０、１１の係合によって、ピン部材３４に強度と剛性とを与える。図２に示されたような組み立てられた方向に於いては、ピン部材３４は、ピン部材３４と電気的リ−ド線３２との間にブリッジ接触部材２８を有して電気的リ−ド線３２に実質的に隣接した位置にある。このようにして、ブリッジ接触部材２８の接触部材４２（図３を使って更に詳細に説明されている）は、ハウジング組立体１３がハウジング部１０、１１と適切に係合することによって組み立てられるとき、ピン部材３４によって電気的リ−ド線３２に押し付けられる。同様に、適合ピン部材（図２に図示せず）が、ブリッジ接触部材２８の適合接触部材４０（図３参照）を、電気的リ−ド線３０（図１参照）に押し付け、ブリッジ部材２８と電気的リ−ド線３０との間に電気的な接触をもたらす。ブリッジ部材２８は電気的に連続であるので、電気的リ−ド線３０と結び付いた適合ピン部材とピン部材３４によるそのような押し付けによって電気的リ−ド線３０、３２との間に電気的な接続がもたらされる。
【００１４】
このようにして、電気的リ−ド線３０に電気的に接続された如何なる部品も、ハウジング部１０と１１を単に係合させハウジング組立体１３を形成することによって、電気的リ−ド線３２に接続された部品に電気的に接続されることになる。如何なる他の製造工程、鑞付けや処理された（ｃｏｎｄｕｃｔｅｄ）エポキシ接着剤の塗布といったようなものは、電気的接続をもたらすのに必要とされない。
【００１５】
図３は、図１及び図２に示された発明で用いられるブリッジ部材の部分の詳細図である。図３では、電気的接続システム２２は、電気的リ−ド線３０と３２に実質的に隣接して搭載されてはいるが電気的な接触はしていないブリッジ接触部材２８を含んで示されている。ブリッジ接触部材２８は、ベ−ス部材３８と一体的に打ち抜かれたベアリング部材即ち接触部材４０、４２を含んでいる。接触部材４０、４２は、ベ−ス部材３８と電気的に連続であり、ベ−ス３８と接触部材４０、４２とを一体的に形成するような方法で、導電性金属部品ブランクから打ち抜くのが好ましい。搭載ディンプル（ｄｉｍｐｌｅｓ）４４は、突出部２４とブリッジ接触部材２８との間に機械的接触を与え、ブリッジ接触部材２８が組み立て中に確実にしかるべき場所にとどまるようにする。更には（或いはその代りに）、ブリッジ接触部材はネジで搭載してよく、或いは当業界で知られたプラスチック部品にパ−ツを固定するための他の搭載手段によって突出部２４に搭載してもよい。
【００１６】
図４は図１から図３に示した発明の部分の詳細図であり、組み立て態勢にある二つのハウジング部を示している。図４では、ハウジング部１１はハウジング部１０と実質的に整列してハウジング部１０に隣接して保たれており、図２のハウジング組立体１３のようなハウジング組立体を形成するために係合する準備ができている。ピン部材３４は、接触部材４２に隣接した位置とほぼ整列した状態にある。
【００１７】
図５は図１から図３に示された発明の部分断面詳細図であり、部分的に係合した二つのハウジング部を示している。図５では、ハウジング部１１は、図２のハウジング組立体１３のようなハウジング組立体を形成するプロセス中でハウジング部１０と完全に係合した状態に近い。図５では、ピン部材３４は接触部材４２に関して当接関係にあり、ハウジング組立体を組み立てる際にハウジング部１０に向かってハウジング部１１が動くことのできる距離を幾らか残している。
【００１８】
図６は図１から図３に示された発明の部分詳細断面図であり、完全に係合した二つのハウジング部を示している。図６では、ハウジング部１１はハウジング部１０と完全に係合し、ハウジング組立体１３を形成している。ピン部材３４が電気的リ−ド線３２に向けて接触部材４２を押し出しており、接触部材４２を押し付け電気的リ−ド線３２と物理的なそしてその結果として電気的な接触を生じさせている。図６では、ハウジング部１０、１１が完全に係合した位置に於いてピン部材３４が弾力特性を有していることが示されている。この弾力特性の結果として、図６に示される完全に係合した位置に於いてはピン部材３４は接触部材４２から遠ざかるように曲げられることになる。そのような弾力特性はあってもなくてもよく、本発明を設計する際に必要とされるものではない。ピン部材３４を電気的リ−ド線３２及び接触部材４２から遠ざけるように曲げる結果になるそのような弾力特性は、一種のオ−バトラベル（ｏｖｅｒｔｒａｖｅｌ）特性を与え、本発明の種々の部品を形成する際に幾らかの製造許容公差を与える。勿論本発明の重要な特徴は、ハウジング部１０、１１の組み立て中にピン部材３４が電気的リ−ド線３２と実質的に並行に進行し、接触部材４２を電気的リ−ド線３２と物理的で電気的な接触をするように押し出すということである。ピン部材３４と同様な別のピン部材が、接触部材４０（図３）を電気的リ−ド線３０（図１、３）に向けて押し付け、接触部材４０、４２及びベ−ス部材３８（図３）を介して電気的共通状態にあるように電気的リ−ド線３０、３２を結合する。
【００１９】
図７は図５に示された図と類似した、図１から図３に示された発明の部分詳細断面図であるが、ハウジング組み立て中のゆがんだ接触部材の影響を図示している。図７では、ハウジング部１１はハウジング部１０と初期段階の係合状態にある。接触部材４０、４２はベ−ス部材３８に関して等しい位置になく、ピン部材３４と同様なピン部材（図７には図示せず）は、ハウジング部１０、１１の組み立ての際、ピン部材３４が接触部材４２と係合する時とは異なるときに接触部材４０と係合する。ハウジング部１０、１１の係合が継続するにつれて、接触部材４０、４２の各々は結局それぞれの電気的リ−ド線３０、３２に向けて押し付けられ、ベ−ス部材３８を介して電気的な共通接続を生じさせる。このようにして、例え製造公差によりベ−ス部材３８からの接触部材４０、４２の距離が不均一になったとしても、或いはそのような不均一な距離が取り扱い中や組み立て中或いは他の操作の間に生じたとしても、本発明の構造は、そのような差異を許容し、またハウジング部１０、１１が係合するとき接触部材４０、４２をそれぞれの電気的リ−ド線３０、３２に一様に押し付けるようにそれらの差異を正すように働く。
【００２０】
図８は本発明の第一の代替実施例の部分の斜視図である。図８では、ピンアレイ（ａｒｒａｙ）５０がベ−ス部材５２と複数のピン５４、５４’を含んで示されている。ベ−ス部材５８と複数の接触部材６０とを含む接触アレイ５６が、ピンアレイ５０と実質的に整列している。このようにして、各それぞれのピン５４、５４’はそれぞれの軸６２に沿ってそれぞれの接触部材６０と整列している。ピン５４’は想像線で示されており、それらは製造後にピンアレイ５０から取り除いてもよく（例えばピン５４’を折る或いは切り取る等により）、或いは製造中にピンアレイ５０から取り除いてもよいことを示している。そのような形態に於いては、単一のピンアレイ５０を図８に示すような形態に作り上げてもよいが、特別な用途のために１以上のピン５４’を取り除いてもよい。それは、それらのピン５４’が除去されるような特別の用途に於いては、それぞれの接触部材６０は電気的に係合すべきでないからである。
【００２１】
図９は本発明の第二の別の実施例の部分の斜視図である。図９では、ピンアレイ７０はベ−ス部材７２及び複数のピン７４、７４’を含んで示されている。図９に示された第二の別の実施例に於いては、ベ−ス部材７２は非直線的に配置された複数のセグメントを有する一般的に蛇のように曲がりくねったベ−ス部材である。その結果として、一つのベ−ス部材７８と複数の接触部材８０とを含む接触アレイ７６が与えられる。ここで、ベ−ス部材７８はピンアレイ７０とほぼ整列して蛇のように曲がりくねって配列されており、各それぞれの接触部材８０はそれぞれの軸８２に沿ってそれぞれのピン７４、７４’と整列するようになっている。
【００２２】
図８に示された代わりの実施例と同様な態様で、選択されたピン７４’が既に標準として製造されている（例えば型成型されて）ベ−ス部材７２から除去され、ベ−ス部材７２に固定的に取り付けられたハウジング部が、ベ−ス部材７８に関して固定的に取り付けられたハウジング部と係合し、それら二つのハウジング部が組み立てられ一つのハウジング組立体を形成するとき、選択されたそれぞれの接触部材８０が押し出されないようになる。これは図１から図３について説明したのと同様である。そのようにピン７４’が選択的に取り除くことができるということ或いはそのような構造は、図１から図９に示した実施例の全てに於ける本発明にプログラム可能性という特徴を与える。
【００２３】
本明細書に含まれる詳細な説明、図面及び特定の実例は好ましい実施例を説明しているが、それらは説明を目的とするものであり、また本発明の装置はここに開示された詳細及び条件に限定されるものではなく、また特許請求の範囲によって定義された本発明の精神から逸脱することなく種々の変更ができるということが理解されるべきである。
【００２４】
【発明の効果】
以上述べたように、本発明によれば、一方のハウジング部に備えられたブリッジ部材によって電気的リード線を接続するので、やっかいな作業を要さずに電気的な接続が得られる。
【図面の簡単な説明】
【図１】本発明を用いるために適切に形成された一つのハウジング部の平面図である。
【図２】図１に示されたハウジング部の線２−２に沿って見た部分断面側面図であり、ハウジング組立体を形成するためにもう一つのハウジング部と係合させた図である。
【図３】図１と図２に図解された発明に用いられるブリッジ部材の一部を詳細に示した図である。
【図４】図１から図３に示した発明の一部を詳細に示す図であり、組み立て態勢にある二つのハウジング部を示す図である。
【図５】図１から図３に示された発明の部分断面詳細図であり、部分的に係合した二つのハウジング部を示す図である。
【図６】図１から図３に示された発明の部分断面詳細図であり、完全に係合した二つのハウジング部を示す図である。
【図７】図５に示された図に類似しているが、ハウジングの組み立て中の歪んだ接触部材の影響を図示した、図１から図３に示す発明の部分断面詳細図である。
【図８】本発明の第一の別の実施例の部分の斜視図である。
【図９】本発明の第二の別の実施例の部分の斜視図である。
【符号の説明】
１０、１１…ハウジング部、１２…ベース部、１３…ハウジング組立体、１４…スカート、１６…タブ受容掛金機構、１８…突出部、２０…開口、２２…電気的接続システム、２４、２６…突出部、２８…ブリッジ接触部材、３０、３２…電気的リード線、３４…ピン部材、３６…突出構造、３４…ピン部材、４０、４２…接触部材、４４…ディンプル、５０…ピンアレイ、５２…ベース部材、５４、５４’…ピン、５６…接触アレイ、５８…ベース部材、６０…接触部材、７０…ピンアレイ、７２…ベース部材、７４、７４’…ピン、７８…ベース部材、８０…接触部材。
【図１】
0003708609.tif 000002
【図２】
0003708609.tif 000003
【図３】
0003708609.tif 000004
【図４】
0003708609.tif 000005
【図５】
0003708609.tif 000006
【図６】
0003708609.tif 000007
【図７】
0003708609.tif 000008
【図８】
0003708609.tif 000009
【図９】
0003708609.tif 000010